(57)【要約】【課題】  治療室の出入口に開閉時間の短縮化が可能であり、迷路部を設ける必要のない、昇降型放射線遮蔽扉を用いた放射線使用室を提供する。【解決手段】  出入口３を設けた遮蔽壁２の外面に、上下に構築された扉案内構造体５に縦両側面をガイドレール６、６を介して遮蔽扉４を昇降可能に配置して、この遮蔽扉４の底部に昇降駆動装置７を構成する伸縮駆動軸８を接続して前記遮蔽扉４を昇降可能に支持する。また前記遮蔽扉４に対し、ケーブル９、９、固定滑車１０、１０を介し重量軽減手段としてのカウンターウエイト１１、１１を連結して、前記昇降駆動装置７の負荷軽減手段として用いて、昇降駆動装置７を起動して遮蔽扉４を昇降させて前記出入口３を開閉する構成とする。【選択図】              図３
2007171075.tif 000002
【特許請求の範囲】
【請求項１】
放射線遮蔽壁で仕切った室内の出入口に、遮蔽扉を、昇降駆動装置により昇降自在に構成すると共に、前記遮蔽扉の頂部を出入口の通路に構成したことを特徴とする昇降型放射線遮蔽扉を用いた放射線使用室。
【請求項２】
前記室内を遮蔽壁により方形状に仕切ると共に、前記室内の一隅部における遮蔽壁を開口して出入口を形成し、この出入口内の遮蔽壁の対向面および対応する遮蔽扉の側端面を非平坦面状に形成し、前記出入口内の遮蔽壁の対向面に沿って、前記遮蔽扉を昇降可能に配置したことを特徴とする請求項１記載の昇降型放射線遮蔽扉を用いた放射線使用室。
【請求項３】
前記室内を遮蔽壁により方形状に仕切ると共に、前記室内の一隅部における遮蔽壁を対をなすように突出させて出入口通路を形成し、これら対向する遮蔽壁の対向面に沿って遮蔽扉を昇降可能に配置したことを特徴とする請求項１記載の昇降型放射線遮蔽扉を用いた放射線使用室。
【請求項４】
前記昇降駆動装置は、前記出入口床面下において、下方から前記遮蔽扉を支持する伸縮直動軸を備えたことを特徴とする請求項１記載の昇降型放射線遮蔽扉を用いた放射線使用室。
【請求項５】
前記遮蔽扉にケーブル一端を接続して、固定滑車を介して前記ケーブル他端に重量軽減手段としてのカウンターウエイトを接続する構成としたことを特徴とする請求項１または３記載の昇降型放射線遮蔽扉を用いた放射線使用室。
【請求項６】
前記出入口の床面縁部に対向する前記遮蔽扉の頂部端面側に、前記床面縁部に係合する係合斜面部を構成すると共に、前記出入口外側通路に対向する前記遮蔽扉の頂部端面側に、外側通路との隙間をなくす突出部を構成したことを特徴とする請求項１記載の昇降型放射線遮蔽扉を用いた放射線使用室。
【発明の詳細な説明】
【技術分野】
【０００１】
本発明は、放射線を遮蔽することができる、昇降型放射線遮蔽扉を用いた放射線使用室に関するものである。
【背景技術】
【０００２】
従来、例えば患部に放射線を照射して治療を行う放射線治療装置を収容する放射線治療室は、放射線を遮蔽するために、コンクリート等の遮蔽壁で構築されているが、出入口からの放射線の漏洩を防止するため、放射線遮蔽扉が設置されている。この放射線遮蔽扉は、通常、相当の厚さのコンクリート製の素材を用いており、重量は過大なものとなるので、その開閉動作のために大きな動力が必要であり、開閉時間もかかりすぎるといった問題があった。
【０００３】
そこで、そのような過大な重量の遮蔽扉を用いることなく、放射線の漏洩を防止するために、例えば
【特許文献１】特開平８−１０３５０７号公報では、図９に示すように、放射線治療装置が設置されている照射室ａ、散乱したＸ線が入口扉ｂに直接到達するのを防ぐための迷路部ｃを設けるようにしている。
【発明の開示】
【発明が解決しようとする課題】
【０００４】
しかしながら、上述の照射室ａでは、
（１）  迷路部ｃを設けたことにより動線が複雑となり、照射室ａ内への出入りが円滑にはいかない。
（２）  照射室ａの床面積のみでなく、迷路部ｃの床面積が必要となる。
（３）  迷路部ｃを設けたとしても、迷路部ｃの長さが放射線の減衰に充分でない場合、出入口には遮蔽能力を有する入口扉ｂを設置する必要がある。
本発明は、以上のような課題を改善するために提案されたものであって、治療室の出入口に開閉時間の短縮化が可能であり、迷路部を設けなくても、放射線の漏洩を防止することができる、昇降型放射線遮蔽扉を用いた放射線使用室を提供することを目的とする。
【課題を解決するための手段】
【０００５】
前記した課題を解決するために、本発明では、請求項１において、放射線遮蔽壁で仕切った室内の出入口に、遮蔽扉を、昇降駆動装置により昇降自在に構成すると共に、前記遮蔽扉の頂部を出入口の通路に構成した昇降型放射線遮蔽扉を用いた放射線使用室を提案する。
また本発明では、請求項２において、前記室内を遮蔽壁により方形状に仕切ると共に、前記室内の一隅部における遮蔽壁を開口して出入口を形成し、この出入口内の遮蔽壁の対向面および対応する遮蔽扉の側端面を非平坦面状に形成し、前記出入口内の遮蔽壁の対向面に沿って、前記遮蔽扉を昇降可能に配置した昇降型放射線遮蔽扉を用いた放射線使用室を提案する。
また本発明では、請求項３において、前記室内を遮蔽壁により方形状に仕切ると共に、前記室内の一隅部における遮蔽壁を対をなすように突出させて出入口通路を形成し、これら対向する遮蔽壁の対向面に沿って遮蔽扉を昇降可能に配置した昇降型放射線遮蔽扉を用いた放射線使用室を提案する。
また本発明では、請求項４において、前記昇降駆動装置は、前記出入口床面下において、下方から前記遮蔽扉を支持する伸縮直動軸を備えた昇降型放射線遮蔽扉を用いた放射線使用室を提案する。
また本発明では、請求項５において、前記遮蔽扉にケーブル一端を接続して、固定滑車を介して前記ケーブル他端に重量軽減手段としてのカウンターウエイトを接続する構成とした昇降型放射線遮蔽扉を用いた放射線使用室を提案する。
さらに本発明では、請求項６において、前記出入口の床面縁部に対向する前記遮蔽扉の頂部端面側に、前記床面縁部に係合する係合斜面部を構成すると共に、前記出入口外側通路に対向する前記遮蔽扉の頂部端面側に、外側通路との隙間をなくす突出部を構成した昇降型放射線遮蔽扉を用いた放射線使用室を提案する。
【発明の効果】
【０００６】
（１）遮蔽扉を昇降させて放射線使用室の出入口を開閉するため、開閉時間を短縮することができる。
（２）遮蔽扉が出入口を開放したときに、出入口への通路が形成されるため、室内に出入りするのに支障はない。
（３）遮蔽扉を重量軽減手段としてのカウンターウエイトにより、昇降させることができるので、大規模、高出力の動力源や駆動装置は不要となる。
（４）迷路を必要としないため、建築計画が簡素化され、有利となる。
（５）動線として単純化され、円滑な入退室が可能となる。
【０００７】
請求項１によれば、出入口の開閉時間が短時間で済み、遮蔽扉を駆動させて出入口を開いたときに、前記遮蔽扉の頂部端面が出入口の床面と同レベルの位置にもたらされ、出入口への通路として使用することができる。
【０００８】
請求項２によれば、遮蔽壁の一隅部を開口して、対向面を遮蔽扉のガイド手段として用いることができ、特別な案内構造体は不要であり、一層、構成を簡略化することができ、建築計画が簡素化され、有利となる。
また出入口内の遮蔽壁の対向面と対応する遮蔽扉の側端面とは非平坦面状に形成されているので、出入口内の遮蔽壁の対向面と遮蔽扉との間に生ずる隙間は直線状に連なる隙間とはならず、直線状の隙間において生ずるような放射線漏洩のおそれはない。
【０００９】
請求項３によれば、遮蔽扉のガイド手段として遮蔽壁を用いたので、特別な案内構造体は不要であり、一層、構成を簡略化することができ、建築計画が簡素化され、有利となる。
【００１０】
請求項４によれば、遮蔽扉は、出入口床面下方から支持する伸縮直動軸により前記出入口を、昇降駆動して開閉することができる。
【００１１】
請求項５によれば、昇降駆動装置の伸縮直動軸にかかる遮蔽扉の荷重をカウンターウエイトによって、軽減することができ、前記昇降駆動装置にかかる負荷を軽減することができる。
【００１２】
請求項６によれば、遮蔽扉を下降させて、出入口を開放すると、前記遮蔽扉の頂部端面の係合斜面部が、出入口躯体の床面縁部に対して係合し、出入口への通路に隙間をなくすことができる。
【発明を実施するための最良の形態】
【００１３】
以下、本発明にかかる昇降型放射線遮蔽扉を用いた放射線使用室について、一つの実施の形態を挙げ、添付の図面に基づいて説明する。
【実施例】
【００１４】
図１に、放射線使用室の一例として放射線治療室１を示し、この放射線治療室１は、放射線治療装置（図示省略）を収容して、放射線治療装置から出射される放射線を遮蔽可能な厚さＤのコンクリート製の遮蔽壁２で全体断面略方形状に構成している。
そして前記遮蔽壁２の所定の箇所には、間口が厚さＤに比較して幅狭の寸法の出入口３を貫通形成しており、この出入口３を設けた箇所の遮蔽壁２の外面に、遮蔽扉４を接するように設け、昇降駆動装置（後述）により昇降させて前記出入口３を開閉する構成としている。
【００１５】
前記遮蔽扉４は、遮蔽壁２の厚さＤと同等の厚さを有する矩形状の扉であり、周知のように、鉄板で形成した箱体にコンクリートを充填して構成している。
すなわち遮蔽扉４は、出入口３を設けた箇所の遮蔽壁２の外面において、遮蔽壁２に沿って上下に構築された扉案内構造体５に縦両側面をガイドレール６、６を介して昇降可能に配置されており、このような状態で前記遮蔽扉４は、底部に昇降駆動装置７を構成する伸縮駆動軸８を接続して昇降可能に支持している（図３参照）。
【００１６】
また以上のような遮蔽扉４に対し、ケーブル９、９、固定滑車１０、１０を介し重量軽減手段としてのカウンターウエイト１１、１１を連結して、前記昇降駆動装置７の負荷軽減手段として用いている。
その際、前記ケーブル９、９は、一端を前記遮蔽扉４の頂部４Ｔ両端近傍にそれぞれ接続して、前記ケーブル９、９を躯体上部に設けた固定滑車１０、１０に架け渡すと共に、前記ケーブル９、９の末端側にカウンターウエイト１１、１１を接続するようにしている。なお、前記カウンターウエイト１１、１１は、前記扉案内構造体５内のガイド部材１２、１２に沿って昇降する構成である。
また、前記カウンターウエイト１１、１１の底部には、緩衝装置１３、１３を設けている。
【００１７】
ここで前記昇降駆動装置７について説明する。
前記昇降駆動装置７には、例えば油圧駆動装置を用いている。
すなわち昇降駆動装置７は、前記伸縮駆動軸８としての油圧アクチュエータと、油圧アクチュエータに作動油を供給する油圧パワーユニット１４とで構成している。
前記伸縮駆動軸８は、シリンダ８ａとロッド８ｂとで構成し、ロッド８ｂ先端に前記遮蔽扉４底部を取り付けている。
なお、前記昇降駆動装置７には、圧縮空気による圧縮空気駆動装置を用いることもできる。
【００１８】
そして前記遮蔽扉４には、前記遮蔽扉４の頂部４Ｔ端面の、前記出入口３躯体の床面縁部に対向する側に、出入口３躯体の床面縁部に傾斜係合する係合斜面部４Ｅ1を構成している（図４参照）。一方、前記遮蔽扉４の頂部４Ｔ端面の外側通路に面する側にも、外側通路との隙間をなくす突出部４Ｅ2を設けている。
なお、前記遮蔽扉４は、寸法として、幅、高さは、出入口３から室内より放射線が直線的に透過してくる位置より外側にもたらされるように寸法設定がなされている。
従って、前記出入口３の開口縁部に対して、遮蔽扉４の昇降動作に支障のないように、５〜１０ｍｍ程度の隙間を設けているが、この隙間は、遮蔽扉４や遮蔽壁２の厚さＤに比較して微小であり、室内より放射線が直線的に透過してくる位置より上に、遮蔽扉４の頂部４Ｔがもたらされるので、放射線漏洩等の問題はない。
【００１９】
以上のような構成の昇降型放射線遮蔽扉を用いた放射線使用室１において、
放射線治療室１の出入口３は、出入口３を形成した位置の遮蔽壁２外面において出入口３開口面を遮蔽扉４で全面的に覆うことで、遮蔽することができる。
ここで、治療を行う際、患者が放射線治療室１内に入室するときは、昇降駆動装置７を起動して、前記遮蔽扉４を底部で支持する伸縮駆動軸８を作動させて遮蔽扉４を下降させる。
【００２０】
その際、前記遮蔽扉４は、頂部４Ｔ両端近傍に、躯体上部に設けた固定滑車１０、１０を介して架け渡すと共に、末端側にカウンターウエイト１１、１１を接続したケーブル９、９によって吊下げ支持されているので、前記昇降駆動装置７および伸縮駆動軸８にかかる負荷が分担されて昇降駆動装置７および伸縮駆動軸８にかかる負荷を軽減することができ、前記遮蔽扉４を、遮蔽壁２に沿って構築された扉案内構造体５のガイドレール６、６を介して、迅速に下降させて、前記出入口３を開放することができる。このように遮蔽扉４を下降させて放射線治療室１の出入口３を開放することができるので、これまでの横引き遮蔽扉等に比較して開扉時間を短縮することができる。
【００２１】
前記遮蔽扉４を下降させていくと、前記遮蔽扉４の頂部４Ｔ端面の係合斜面部４Ｅ1が、出入口３躯体の床面縁部に対して係合する。これによって、出入口３が開放され、前記遮蔽扉４の頂部４Ｔを、容易に、目標とする床面の高さにもたらすことが達成される。
なお、前記遮蔽扉４は、前記出入口３の開口縁部に対して、遮蔽扉４の昇降動作に支障のないように、５〜１０ｍｍ程度の隙間を設定しているが、前記遮蔽扉４の頂部４Ｔ端面の係合斜面部４Ｅ1が、出入口３躯体の床面縁部に対して係合することで、出入口３への通路に隙間、および段差をなくすことができ、さらには、前記遮蔽扉４の頂部４Ｔ端面の外側通路に面する側にも、外側通路との隙間をなくす突出部４Ｅ2を設けているので、患者がストレッチャー等での入退室が支障なく行うことができるなど、前記遮蔽扉４の頂部４Ｔを通路として活用することができる（図４参照）。
このように、前記放射線治療室１に、これまでのような迷路部はなく、動線として単純化され、円滑な入退室が可能となる。
【００２２】
入室が完了すると、昇降駆動装置７を起動して、前記遮蔽扉４を底部で支持する伸縮駆動軸８を伸長させて遮蔽扉４を上動させることができる。この際も、前記遮蔽扉４は、カウンターウエイト１１、１１を接続したケーブル９、９によって吊下げ支持されているので、カウンターウエイト８、８の重力が前記ケーブル９、９を通して補助力（上昇力）として伸縮駆動軸８に作用するので、昇降駆動装置７および伸縮駆動軸８にかかる負担が軽減され、昇降駆動装置７は比較的低出力のものでもよい。
【００２３】
以上のようにして、前記遮蔽扉４は、遮蔽壁２に沿って構築された扉案内構造体５のガイドレール６、６を介して、迅速に上動させて、出入口３を遮蔽することができる。
この際、出入口３の開口縁部に対して、遮蔽扉４の昇降動作に支障のないように、５〜１０ｍｍ程度の隙間を設けているが、この隙間は、前記遮蔽扉４および遮蔽壁２の厚さＤに比較して微小であり、遮蔽扉４の寸法設定によって、室内より放射線が直線的に透過してくる位置より上に、遮蔽扉４の頂部４Ｔがもたらされるので、放射線漏洩等の問題はない。
このようにして、前記放射線治療室１の出入口３を遮蔽扉４によって遮蔽することができる。
なお、前記遮蔽扉４を上動させると、カウンターウエイト１１、１１は下降するが、カウンターウエイト１１、１１が底部に介装した緩衝装置１３、１３によって建物基部にカウンターウエイト１１、１１が激突するのを回避することができる。
【００２４】
本発明にかかる昇降型放射線遮蔽扉を用いた放射線使用室は、以下のように構成することもできる。
この場合、上記実施例における放射線治療室１と同構成要素については、同符号を付して、それらの説明は省略する。
図５、図６に示すように、この放射線治療室１では、補助力としてのカウンターウエイト８、８は用いず、昇降駆動装置７における伸縮駆動軸８のみによって、遮蔽扉４を昇降させる構成としている。
この場合、遮蔽壁４は出入口３を設けた箇所の遮蔽壁２の外面に、一体的に突設した一対のガイド壁１５、１５内側のガイドレール６、６に沿って、昇降可能に配置している。
前記伸縮駆動軸８は、一対の油圧アクチュエータを用いて、遮蔽扉４を昇降可能に支持している。
【００２５】
このような構成の昇降駆動装置７を用いれば、重量過大な遮蔽扉４でも、カウンターウエイト８、８を用いなくても、無理なく昇降させることができ、能率的な放射線治療室１の出入口３の開閉が実現できる。
【００２６】
また本発明にかかる昇降型放射線遮蔽扉を用いた放射線使用室は、以下のように構成することもできる。
この場合、図７に示すように、放射線治療室１を形成する方形状遮蔽壁２の一隅を開口して出入口３を形成し、この出入口３内の双方の遮蔽壁２の対向面にガイドレール６、６を配設して、ここに、遮蔽扉４を昇降可能に配置している。
この遮蔽扉４においては、例えば断面略５角形状に形成して、これに対応して前記出入口３の断面開口形状を形成している。すなわち、前記出入口３内の双方の遮蔽壁２の対向面のうち、方形状遮蔽壁２の隅角部と対向する側の遮蔽壁２対向面を逆Ｖ字面状に形成している。このようにすることで、出入口３内の双方の遮蔽壁２の対向面と前記遮蔽扉４の側端面との間に生ずる隙間を、非直線状（折れ線形状）に連なる隙間として、直線状の隙間において生ずるような放射線漏洩を防止するようにしている。
勿論、上記遮蔽扉４および出入口３内における遮蔽壁２の対向面の形状は一例であり、前記遮蔽扉４の一方の側端面を段差面状として、これに対応するように遮蔽壁２対向面を段差形成することも可能である。
上述のような放射線治療室１においても、前記遮蔽扉４を昇降駆動装置７における伸縮駆動軸８として、一対の油圧アクチュエータを用いて、遮蔽扉４を昇降可能に支持し、遮蔽扉４を昇降させて、出入口３を開閉する構成としている。
【００２７】
以上のような放射線治療室１によれば、遮蔽壁２の一隅部を開口して、対向面を遮蔽扉４のガイド手段として用いることができ、特別な案内構造体は不要であり、一層、構成を簡略化することができ、建築計画が簡素化され、有利となる。  その際、遮蔽扉４を断面略５角形状に形成して、対応する出入口３内の遮蔽壁２の対向面を逆Ｖ字面状に形成したことにより、前記出入口３内の双方の遮蔽壁２の対向面と前記遮蔽扉４との間に生ずる隙間は、直線状に連なる隙間とはならず、直線状の隙間において生ずるような放射線漏洩のおそれはない。
【００２８】
さらに本発明は、にかかる昇降型放射線遮蔽扉を用いた放射線使用室は、以下のように構成することもできる。
この場合、図８に示すように、放射線治療室１を形成する方形状遮蔽壁２の一隅を遮蔽壁２の厚さＤより若干大きい寸法分、遮蔽壁２を対をなすように突出させて出入口通路１６を形成し、これら対向する遮蔽壁２、２の対向面にガイドレール６、６を配設して、ここに、遮蔽扉４を昇降可能に配設している。
この場合においても、遮蔽扉４を昇降駆動装置７における伸縮駆動軸８によって支持すると共に、前記対向する遮蔽壁２、２の両外側面に沿って昇降可能に配置した重量軽減手段としてのカウンターウエイト１１、１１によって、遮蔽扉４を昇降させて、出入口３を開閉する構成としている。
【００２９】
以上のような放射線治療室１においても、遮蔽扉４のガイド手段として、特別な案内構造体は不要であり、一層、構成を簡略化することができ、建築計画が簡素化され、有利となる。
【図面の簡単な説明】
【００３０】
【図１】本発明にかかる遮蔽扉を用いた放射線使用室である放射線治療室の一例を示す、模式的な横断面図である。
【図２】図１に示す遮蔽扉の拡大して示す横断面図である。
【図３】図１に示す放射線治療室における遮蔽扉に対する昇降駆動装置の一例を示す、構成説明図である。
【図４】図１に示す放射線治療室における遮蔽扉を降下させて、出入口を開放した状態を示す、縦断面説明図である。
【図５】本発明にかかる放射線治療室の別例を示す、要部を拡大した横断面図である。
【図６】図５に示す、放射線治療室における遮蔽扉に対する昇降駆動装置の構成説明図である。
【図７】本発明にかかる遮蔽扉を用いた放射線使用室である放射線治療室の別例を示す、模式的な横断面図である。
【図８】本発明にかかる遮蔽扉を用いた放射線使用室である放射線治療室の別例を示す、模式的な横断面図である。
【図９】従来の放射線使用室の一例を示す、模式的な横断面図である。
【符号の説明】
【００３１】
１                    放射線治療室
２                    遮蔽壁
３                    出入口
４                    遮蔽扉
４Ｅ1                 係合斜面部
４Ｔ                  頂部
４Ｅ2                 突出部
５                    扉案内構造体
６                    ガイドレール
７                    昇降駆動装置
８                    伸縮駆動装置
９                    ケーブル
１０                  定滑車
１１                  カウンターウエイト
１２                  ガイド部材
１３                  緩衝装置
１４                  油圧パワーユニット
１５                  ガイド壁
１６                  出入口通路
【図１】
2007171075.tif 000003
【図２】
2007171075.tif 000004
【図３】
2007171075.tif 000005
【図４】
2007171075.tif 000006
【図５】
2007171075.tif 000007
【図６】
2007171075.tif 000008
【図７】
2007171075.tif 000009
【図８】
2007171075.tif 000010
【図９】
2007171075.tif 000011